(57)【要約】【課題】ノイズ等の影響を受けること無く、被測定配電線に流れる漏れ電流を正確かつ容易に検出し得る漏れ電流測定装置を提供する。【解決手段】漏れ電流測定装置１の処理手段１３は、電圧検出手段１１から供給される相電圧Ｕより解析ウインドウ幅を求めて相電圧波形データＤｕに変換し、電流検出手段１２から供給される電圧信号Ｕｉを電流波形データＤｉに変換し、それぞれフーリエ変換して、相電圧波形データＤｕの基本波実数部Ｕ1rと虚数部Ｕ1i、電流波形データＤｉの基本波実数部Ｉｏ1rと虚数部Ｉｏ1iをそれぞれ求め、下式（１）の演算を行う。【数１】2018021812.tif 000009【選択図】図１
2018021812.tif 000002
【特許請求の範囲】
【請求項１】
ホット側Ｌ相と接地側Ｎ相から成る単相２線式の配電線を被測定配電線とし、この被測定配電線における絶縁抵抗の漏れ電流Ｉｏｒを測定する漏れ電流測定方法であって、
前記被測定配電線のＮ相とＬ相間の相電圧Ｕを検出する電圧検出工程と、
前記被測定配電線に流れる合成漏れ電流Ｉｏを検出する電流検出工程と、
前記相電圧Ｕから解析ウインドウ幅を求めると共に、フーリエ変換を用いて、前記相電圧Ｕの基本波実数部Ｕ1rと虚数部Ｕ1i、並びに前記合成漏れ電流Ｉｏの基本波実数部Ｉｏ1rと虚数部Ｉｏ1iとを求める第１演算工程と、
下式（１）に基づいて、前記絶縁抵抗の漏れ電流Ｉｏｒを求める第２演算工程と、
を行うことを特徴とする漏れ電流測定方法。
【数１】
2018021812.tif 000007
【請求項２】
ホット側Ｌ相と接地側Ｎ相から成る単相２線式の配電線を被測定配電線とし、この被測定配電線における絶縁抵抗の漏れ電流Ｉｏｒを測定する漏れ電流測定装置であって、
前記被測定配電線のＮ相とＬ相間の相電圧Ｕを検出する電圧検出手段と、
前記被測定配電線に流れる合成漏れ電流Ｉｏを検出する電流検出手段と、
前記相電圧Ｕから解析ウインドウ幅を求めると共に、フーリエ変換を用いて、前記相電圧Ｕの基本波実数部Ｕ1rと虚数部Ｕ1i、並びに前記合成漏れ電流Ｉｏの基本波実数部Ｉｏ1rと虚数部Ｉｏ1iとを求める第１演算処理と、下式（１）に基づいて前記絶縁抵抗の漏れ電流Ｉｏｒを求める第２演算処理を行う処理手段と、
を備えることを特徴とする漏れ電流測定装置。
【数２】
2018021812.tif 000008
【請求項３】
前記処理手段は、前記測定した漏れ電流Ｉｏｒと予め規定された絶縁状態判別規格値とを比較して、前記被測定配電線についての絶縁状態を判別する判別処理を行うことを特徴とする請求項２に記載の漏れ電流測定装置。
【発明の詳細な説明】
【技術分野】
【０００１】
本発明は、ホット側Ｌ相と接地側Ｎ相から成る単相２線式の配電線を被測定配電線とし、この被測定配電線における絶縁抵抗の漏れ電流Ｉｏｒを測定する漏れ電流測定方法およびこの方法を適用した漏れ電流測定装置に関する。
【背景技術】
【０００２】
配電系統では、漏電火災防止のために絶縁状態を定期的に測定している。配電系統の絶縁状態を検査するとき、従来は、停電させてケーブルや設備の絶縁抵抗測定を行う方法が一般的に広く用いられていた。
【０００３】
しかし、停電が許されない配電設備や連続運転を必要とする工場等においては、このような方法で絶縁状態を検査することはできない。このため、活線状態でも配電線の漏れ電流を測定できるリークテスタ等が用いられる場合がある。しかし、リークテスタ等により漏れ電流を測定する場合、その測定原理に起因して、測定された漏れ電流（合成漏れ電流Ｉｏ）には、配電系統の電圧印加部分と接地部分との間に通常存在する対地静電容量を流れる電流の影響分によるもの（無効漏れ電流Ｉｏｃ）が多く含まれることとなり、本来求めたい絶縁抵抗の漏れ電流（有効漏れ電流Ｉｏｒ）のみを正確に測定できるものではなかった。
【０００４】
更に、近時の配電系統には、整流回路を伴うＬＥＤ照明や産業用モータの可変速装置等の負荷装置が接続されている場合もあり、これらＬＥＤ照明による高調波や産業用モータの可変速装置から発生するインバータノイズ等は、合成漏れ電流Ｉｏに常に重畳されてしまうため、これも誤差要因になってしまう。
【０００５】
そこで、フィルタ回路（ローパスフィルタ）を用いて合成漏れ電流Ｉｏに重畳されてしまう高調波やインバータノイズ等を除去する漏れ電流測定装置が提案されている（例えば、特許文献１および特許文献２を参照）。
【０００６】
また、フーリエ変換処理を用いて基本波成分と高調波成分、または二種類の高調波成分の組み合わせ演算により、合成漏れ電流Ｉｏから絶縁抵抗の漏れ電流Ｉｏｒをベクトル合成によって直接演算する漏れ電流測定方法により正確な漏れ電流を求めて、漏れ電流を監視する漏れ電流監視装置が提案されている（例えば、特許文献３を参照）。
【０００７】
或いは、フーリエ変換処理を用いて電圧基本波成分と漏れ電流基本波成分との相対位相と、漏れ電流基本波成分との組み合わせ演算により、合成漏れ電流Ｉｏから絶縁抵抗の漏れ電流Ｉｏｒをベクトル合成によって演算する漏れ電流検出方法が提案されている（例えば、特許文献４を参照）。
【先行技術文献】
【特許文献】
【０００８】
【特許文献１】特開２００１−２１５２４７号公報
【特許文献２】特許第３９９６１１９号公報
【特許文献３】特許第４１６７８７２号公報
【特許文献４】特開２０１０−１９０６４５号公報
【発明の概要】
【発明が解決しようとする課題】
【０００９】
しかしながら、特許文献１および特許文献２に記載された漏れ電流測定装置においては、遮断周波数帯域外の周波数成分を減衰させる構成であるため、合成漏れ電流Ｉｏに重畳されている高調波やノイズ成分が電源周波数帯域（基本波周波数帯域）に近い周波数であった場合、完全には取り除けないので、必ずしも正確な絶縁抵抗の漏れ電流Ｉｏｒを測定できるとは言えない。
【００１０】
また、特許文献３や特許文献４に記載された漏れ電流測定装置では、絶縁抵抗の漏れ電流Ｉｏｒをベクトル合成により算出するために、概して複雑な演算処理が必要であり、演算負荷が大きい。
【００１１】
そこで、本発明は、ＬＥＤ用照明による高調波や産業用モータの可変速装置から発生するインバータノイズ等の影響を受けること無く、被測定配電線に流れる絶縁抵抗の漏れ電流Ｉｏｒを正確かつ容易に求められる漏れ電流測定方法および漏れ電流測定装置の提供を目的とする。
【課題を解決するための手段】
【００１２】
上記の課題を解決するために、請求項１に係る発明は、ホット側Ｌ相と接地側Ｎ相から成る単相２線式の配電線を被測定配電線とし、この被測定配電線における絶縁抵抗の漏れ電流Ｉｏｒを測定する漏れ電流測定方法であって、前記被測定配電線のＮ相とＬ相間の相電圧Ｕを検出する電圧検出工程と、前記被測定配電線に流れる合成漏れ電流Ｉｏを検出する電流検出工程と、前記相電圧Ｕから解析ウインドウ幅を求めると共に、フーリエ変換を用いて、前記相電圧Ｕの基本波実数部Ｕ1rと虚数部Ｕ1i、並びに前記合成漏れ電流Ｉｏの基本波実数部Ｉｏ1rと虚数部Ｉｏ1iとを求める第１演算工程と、下式（１）に基づいて、前記絶縁抵抗の漏れ電流Ｉｏｒを求める第２演算工程と、を行うことを特徴とする。
【数１】
2018021812.tif 000003
【００１３】
また、請求項２に係る発明は、ホット側Ｌ相と接地側Ｎ相から成る単相２線式の配電線を被測定配電線とし、この被測定配電線における絶縁抵抗の漏れ電流Ｉｏｒを測定する漏れ電流測定装置であって、前記被測定配電線のＮ相とＬ相間の相電圧Ｕを検出する電圧検出手段と、前記被測定配電線に流れる合成漏れ電流Ｉｏを検出する電流検出手段と、前記相電圧Ｕから解析ウインドウ幅を求めると共に、フーリエ変換を用いて、前記相電圧Ｕの基本波実数部Ｕ1rと虚数部Ｕ1i、並びに前記合成漏れ電流Ｉｏの基本波実数部Ｉｏ1rと虚数部Ｉｏ1iとを求める第１演算処理と、下式（１）に基づいて前記絶縁抵抗の漏れ電流Ｉｏｒを求める第２演算処理を行う処理手段と、を備えることを特徴とする。
【数２】
2018021812.tif 000004
【００１４】
また、請求項３に係る発明は、前記請求項２に記載の漏れ電流測定装置において、前記処理手段は、前記測定した漏れ電流Ｉｏｒと予め規定された絶縁状態判別規格値とを比較して、前記被測定配電線についての絶縁状態を判別する判別処理を行うことを特徴とする。
【発明の効果】
【００１５】
請求項１に係る漏れ電流測定方法および請求項２に係る漏れ電流測定装置によれば、電源周波数帯域（基本波周波数帯域）に近いノイズであるＬＥＤ用照明による高調波や、産業用モータの可変速装置から発生するインバータノイズ等が常に合成漏れ電流Ｉｏへ重畳された状態であっても、被測定配電線のＮ相とＬ相間の相電圧Ｕからフーリエ変換の解析ウインドウ幅を求めて、フーリエ変換により求めた相電圧Ｕの基本波実数部Ｕ1rと虚数部Ｕ1i、並びに前記合成漏れ電流Ｉｏの基本波実数部Ｉｏ1rと虚数部Ｉｏ1iとから、比較的単純な式（１）の演算によって絶縁抵抗の漏れ電流Ｉｏｒを求められる。従って、対地絶縁抵抗を通じて流れる漏れ電流Ｉｏｒを、正確かつ容易に求めることができる。
【００１６】
また、請求項３に係る漏れ電流測定装置は、漏れ電流測定を行った被測定配電線についての絶縁状態を判別する機能を備えているので、装置使用者の利便性を一層高めることができる。
【図面の簡単な説明】
【００１７】
【図１】本発明に係る漏れ電流測定方法を適用した漏れ電流測定装置を被測定配電線に接続した状態の概略構成図である。
【図２】絶縁抵抗の漏れ電流Ｉｏｒについての測定原理を説明するためのベクトル図である。
【発明を実施するための形態】
【００１８】
以下、本発明の実施形態を、添付図面に基づいて詳細に説明する。図１は、漏れ電流測定装置１を交流電源２の配電線に接続した概略構成を示す。
【００１９】
漏れ電流測定装置１は、少なくとも、電圧検出手段１１、電流検出手段１２、処理手段１３、記憶手段１４および表示手段１５を備え、例えば、交流電源２のＮ端子に接続した配電線Ｌｎと、交流電源２の端子Ｌに接続した配電線Ｌｕを被測定配電線とし、この被測定配電線についての絶縁抵抗の漏れ電流Ｉｏｒを測定するものである。なお、交流電源２は、変圧器の低圧側単相巻線２１の一方が接地されたＮ相であり、Ｎ端子に接続されており、低圧側単相巻線２１の他方がホット側のＬ相であり、Ｌ端子に接続されている。
【００２０】
ここでの交流電源２は、一例として、商用周波数の単相交流電圧（Ｎ相とＬ相間の相電圧Ｕ）を発生させると共に、発生させた相電圧Ｕを端子Ｌから出力する。かくして、交流電源２は、配電線Ｌｕが接続された端子Ｌに相電圧Ｕを出力して、配電線Ｌｕに接続された負荷３に対して相電流Ｉを供給できる。また、交流電源２の配電線Ｌｕと接地との間には、図１中に示すように、対地静電容量Ｃおよび対地漏れ抵抗Ｒが存在している。
【００２１】
上記電圧検出手段１１は、一対の電圧検出プローブ１６ａ，１６ｂを介して配電線Ｌｎ，Ｌｕに接続され、一対の電圧検出プローブ１６ａ，１６ｂを介して相電圧Ｕを検出し、処理手段１３に出力する。
【００２２】
電流検出手段１２は、配電線Ｌｎ，Ｌｕに予め決められた向きで装着された電流トランス型の電流検出プローブ４を介して、配電線Ｌｎ，Ｌｕに流れる相電流Ｉ、対地静電容量Ｃを経由して接地に流れる漏れ電流（以下、「無効漏れ電流」ともいう）Ｉｏｃ、対地漏れ抵抗Ｒを経由して接地に流れる漏れ電流（以下、「有効漏れ電流」ともいう）Ｉｏｒの合成漏れ電流Ｉｏを検出すると共に、これを電圧信号Ｕｉに変換して処理手段１３に出力する。なお、負荷３に流れる相電流Ｉは、図１中に２種類の点線で示すように、配電線Ｌｎ，Ｌｕのそれぞれにおいて逆向きに流れる（電流検出プローブ４内をそれぞれ逆方向に流れる）ことになるため、電流検出プローブ４での電流検出に際しては、各配電線Ｌｎ，Ｌｕを流れる相電流Ｉがそれぞれ打ち消され、上記の無効漏れ電流Ｉｏｃと有効漏れ電流Ｉｏｒとが合成された合成漏れ電流Ｉｏのみが電流検出プローブ４にて検出されるのである。
【００２３】
処理手段１３は、例えば、１つのコンパレータと２つのアンチエイリアシングフィルタおよびＡ／Ｄ変換器、演算用にＦＰＧＡおよびＣＰＵ等で構成することができる。すなわち、処理手段１３は、電圧検出手段１１から供給される相電圧Ｕが仮に５０Ｈｚの周波数であれば１０周期分、６０Ｈｚであれば１２周期分の解析ウインドウ幅をコンパレータにて求めると同時に、一方のＡ／Ｄ変換器で相電圧波形データＤｕに変換し、電流検出手段１２から供給される電圧信号Ｕｉを他方のＡ／Ｄ変換器で電流波形データＤｉに変換するＡ／Ｄ変換処理を行う。
【００２４】
また、処理手段１３は、相電圧波形データＤｕおよび電流波形データＤｉに基づいて、それぞれフーリエ変換をおこない、相電圧波形データＤｕの基本波実数部Ｕ1rと虚数部Ｕ1i、電流波形データＤｉの基本波実数部Ｉｏ1rと虚数部Ｉｏ1iとを求める第１演算処理を実行する。さらに、処理手段１３は、下式（１）に基づいて、配電線Ｌｕについての絶縁抵抗の漏れ電流Ｉｏｒを算出（測定）する第２演算処理を実行する。
【数３】
2018021812.tif 000005
【００２５】
次に、図２を参照して、上式（１）の算出根拠について説明する。なお、式（１）算出根拠の理解を容易にするため、相電圧Ｕを、図２中に破線で示し、以下の説明において、各ベクトルの角度は、相電圧Ｕを基準（０°）とし、紙面に対して反時計回りに回転したときの角度で表記するものとする。
【００２６】
配電線Ｌｕについての無効漏れ電流Ｉｏｃは、有効漏れ電流Ｉｏｒ（相電圧Ｕと同位相（０°））に対して位相が９０°進んでいる。漏れ電流Ｉｏｃ，Ｉｏｒの合成漏れ電流Ｉｏは、ベクトル和でＩｏ＝Ｉｏｃ＋Ｉｏｒと表される。有効漏れ電流Ｉｏｒは、上述したように、相電圧Ｕと同じ角度（０°）上に存在するため、合成漏れ電流Ｉｏは、図２に示すように、相電圧Ｕを基準とした０°から９０°までの範囲内に存在することになる。
【００２７】
合成漏れ電流Ｉｏにノイズ等が重畳しておらず理想的な正弦波であった場合、図２からも分かるように有効漏れ電流Ｉｏｒは、合成漏れ電流Ｉｏの余弦として求められるので、「Ｉｏｒ＝Ｉｏ×ｃｏｓθ  …（２）」となる。
【００２８】
ここで交流回路の有効電力をＰとし、相電圧をＵ、負荷電流を合成漏れ電流Ｉｏ、電圧と負荷電流との位相角（力率角）をｃｏｓθとすると、有効電力Ｐは「Ｐ＝Ｕ×Ｉｏ×ｃｏｓθ  …（３）」となる。そして、式（３）の有効電力Ｐを相電圧Ｕで除すると「Ｐ÷Ｕ＝Ｉｏ×ｃｏｓθ」となり、これに上式（２）を適用すると「Ｉｏｒ＝Ｐ÷Ｕ  …（４）」となるので、有効電力Ｐと相電圧Ｕから有効漏れ電流Ｉｏｒのみを求めることができる。
【００２９】
次に、基本波の有効電力Ｐ1を相電圧波形データＤｕの基本波実数部Ｕ1rと虚数部Ｕ1i、電流波形データＤｉの基本波実数部Ｉｏ1rと虚数部Ｉｏ1iとを用いて一般的な交流回路の有効電力を複素数から求める式に当て嵌めて表すと「Ｐ1＝｜Ｕ1r×Ｉｏ1r＋Ｕ1i×Ｉｏ1i｜  …（５）」となり、基本波の相電圧Ｕ1は下式（６）となる。
【数４】
2018021812.tif 000006
【００３０】
即ち、上式（４）に対して、式（５）および式（６）を当てはめると、上式（１）が得られるのである。
【００３１】
なお、上式（１）はフーリエ変換後の基本波のみを演算対象としているため、電源周波数帯域（基本波周波数帯域）に近いノイズであるＬＥＤ用照明による高調波や、産業用モータの可変速装置から発生するインバータノイズ等が常に合成漏れ電流Ｉｏへ重畳した状態であっても測定に影響することが無く、別途高調波を除去するフィルタ回路を設ける必要もない。
【００３２】
斯くして、処理手段１３は、式（１）の演算を行う事により、対地絶縁抵抗を通じて流れる漏れ電流Ｉｏｒを正確に検出することができるのである。
【００３３】
記憶手段１４は、ＲＯＭやＲＡＭ等の半導体メモリで構成することができ、上述した処理手段１３のための動作プログラム、有効漏れ電流Ｉｏｒ算出用の式（１）、有効漏れ電流Ｉｏｒについての絶縁状態判別規格値Ｉｒｅｆ（例えば、１ｍＡ）等を予め記憶させておく。また、記憶手段１４は、処理手段１３によって一時的な記憶領域として使用されるもので、処理手段１３が演算した相電圧波形データＤｕ、相電圧Ｕの基本波実数部Ｕ1rと虚数部Ｕ1i、電流波形データＤｉ、合成漏れ電流Ｉｏの基本波実数部Ｉｏ1rと虚数部Ｉｏ1i等を記憶させておき、必要に応じて読み出すのである。
【００３４】
表示手段１５は、ディスプレイ装置（例えばＬＣＤ）などの表示装置で構成しても良いし、アナログメータやセグメント式デジタル表示器等で構成しても良い。この表示手段１５によって、処理手段１３によって得られた漏れ電流の測定値や絶縁状態の判別結果を可視表示する。なお、音声合成によって測定値や判別結果を音声出力する機能を別途設けるようにしても良いし、表示手段１５に代えて警報装置を設け、音や発光等を用いて絶縁異常の警報を発するようにしても良い。
【００３５】
続いて、上述した構成の漏れ電流測定装置１の動作を説明する。なお、漏れ電流測定装置１による計測を行うため、予め、一対の電圧検出プローブ１６ａ，１６ｂが配電線Ｌｎ，Ｌｕに接続され、かつ電流検出プローブ４が配電線Ｌｎ，Ｌｕに予め決められた向きで装着されているものとする。
【００３６】
漏れ電流測定装置１の作動状態において、電圧検出手段１１は、一対の電圧検出プローブ１６ａ，１６ｂを介して相電圧Ｕを検出し、処理手段１３に出力する。また、電流検出手段１２は、電流トランス型の電流検出プローブ４を介して、配電線Ｌｎ，Ｌｕに流れる合成漏れ電流Ｉｏを検出すると共に、電圧信号Ｕｉに変換して処理手段１３に出力する。
【００３７】
処理手段１３は、まず、相電圧Ｕおよび電圧信号Ｕｉの入力を受けつつ、相電圧Ｕが仮に商用周波数５０Ｈｚの周波数であれば１０周期分、商用周波数６０Ｈｚであれば１２周期分の解析ウインドウ幅をコンパレータにて求めると同時に、Ａ／Ｄ変換処理を実行して、相電圧Ｕを相電圧波形データＤｕに変換し、記憶手段１４に記憶させると共に、電圧信号Ｕｉを電流波形データＤｉに変換し、記憶手段１４に記憶させる。
【００３８】
次いで、処理手段１３は、第１演算処理を実行する。第１演算処理とは、相電圧波形データＤｕおよび電流波形データＤｉに基づいて、それぞれフーリエ変換をおこない、相電圧波形データＤｕの基本波実数部Ｕ1rと虚数部Ｕ1i、電流波形データＤｉの基本波実数部Ｉｏ1rと虚数部Ｉｏ1iとを算出する処理である。この第１演算処理によって算出した、Ｕ1r，Ｕ1i，Ｉｏ1r，Ｉｏ1iも記憶手段１４に記憶させる。
【００３９】
最後に、処理手段１３は、第２演算処理を実行する。この第２演算処理とは、上式（１）に基づく漏れ電流を算出する処理である。第２演算処理を実行するにあたり、処理手段１３は、先ず、相電圧波形データＤｕの基本波実数部Ｕ1rと虚数部Ｕ1i、電流波形データＤｉの基本波実数部Ｉｏ1rと虚数部Ｉｏ1iおよび式（１）を記憶手段１４から読み出す。続いて、処理手段１３は、相電圧波形データＤｕの基本波実数部Ｕ1rと虚数部Ｕ1i、電流波形データＤｉの基本波実数部Ｉｏ1rと虚数部Ｉｏ1iを式（１）に代入して、配電線Ｌｒ，Ｌｔについての有効漏れ電流Ｉｏｒを算出（測定）するのである。
【００４０】
なお、本実施形態に示す処理手段１３は、求めた漏れ電流の値から絶縁状態を判別する判別処理を行うものとした。この判別処理に際して、処理手段１３は、記憶手段１４から有効漏れ電流Ｉｏｒについての絶縁状態判別規格値Ｉｒｅｆを読み出すと共に、算出した有効漏れ電流Ｉｏｒをこの絶縁状態判別規格値Ｉｒｅｆと比較し、有効漏れ電流Ｉｏｒが規格値Ｉｒｅｆ以上のときには、算出した有効漏れ電流Ｉｏｒと共に、絶縁状態判別規格値Ｉｒｅｆ以上の有効漏れ電流Ｉｏｒが発生している旨（絶縁状態が不良である旨）の判別結果を表示手段１５に表示させる。一方、有効漏れ電流Ｉｏｒが絶縁状態判別規格値Ｉｒｅｆ未満のときには、算出した有効漏れ電流Ｉｏｒと共に、有効漏れ電流が規格値未満である旨（絶縁状態が良好である旨）の判別結果を表示手段１５に表示させる。
【００４１】
このように、本実施形態に係る漏れ電流測定装置１によれば、相電圧波形データＤｕの基本波実数部Ｕ1rと虚数部Ｕ1i、電流波形データＤｉの基本波実数部Ｉｏ1rと虚数部Ｉｏ1iおよび式（１）に基づいて、単相２線式の交流電源２の端子Ｌに接続される配電線Ｌｕについての絶縁抵抗の漏れ電流（有効漏れ電流）Ｉｏｒを精度良く測定することができる。
【００４２】
また、本実施形態の漏れ電流測定装置１によれば、測定した有効漏れ電流Ｉｏｒと予め規定された絶縁状態判別規格値Ｉｒｅｆとを処理手段１３によって比較し、その比較結果である絶縁状態の判定結果を表示手段１５に表示させることで、漏れ電流測定装置１の使用者に、配電線Ｌｕの絶縁状態の良否を確実かつ容易に報らせることができる。
【００４３】
さらに、配電線Ｌｕに遮断機が別途設けられており、遮断機を外部からの制御信号により遮断動作を実行させられる場合、遮断器の制御信号ラインと漏れ電流測定装置１とを接続して絶縁抵抗の検査を行い、処理手段１３によって絶縁状態の判定結果が出ると、制御信号ラインを介して遮断機へ動作指令を出力することで、速やかに遮断機を動作させる遮断機制御機能を処理手段１３に持たせておけば、漏電に起因する事故を確実に防止することができる。
【００４４】
なお、本実施形態の漏れ電流測定装置１では、処理手段１３が、測定した有効漏れ電流Ｉｏｒを絶縁状態判別規格値Ｉｒｅｆと比較して、絶縁状態まで判別して報知する構成としたが、この機能は付加的なものである。したがって、測定した有効漏れ電流Ｉｏｒを表示手段１５に表示するだけの漏れ電流測定装置としても構わない。このように、絶縁状態の判別機能を持たない漏れ電流測定装置であっても、測定された有効漏れ電流Ｉｏｒが表示手段１５に表示されるので、配電線についての有効漏れ電流Ｉｏｒを漏れ電流測定装置の使用者に報らせることができ、使用者自らが絶縁状態判別規格値Ｉｒｅｆと比較すれば、配電線についての絶縁状態を判別できるのである。
【００４５】
以上、本発明に係る漏れ電流測定方法を適用した漏れ電流測定装置の実施形態を添付図面に基づいて説明したが、本発明は、この実施形態に限定されるものではなく、特許請求の範囲に記載の構成を変更しない範囲で、公知既存の等価な技術手段を転用することにより実施しても構わない。
【符号の説明】
【００４６】
１      漏れ電流測定装置
１１    電圧検出手段
１２    電流検出手段
１３    処理手段
１４    記憶手段
１５    表示手段
【図１】
2018021812.tif 000010
【図２】
2018021812.tif 000011